【手続補正書】
【提出日】平成28年11月1日(2016.11.1)
【手続補正１】
【補正対象書類名】明細書
【補正対象項目名】０１１２
【補正方法】変更
【補正の内容】
【０１１２】
さらに、用語「第１」「第２」、「第３」などが、明細書または特許請求の範囲の何れで使用されるかを問わず、同様の要素を区別するために用いられているものであり、これらは、必ずしも連続でありまたは時間の順を記述するために設けられているものではない。これは、そのように使用される用語は（明確にそうでないと開示されている場合を除き）、適切な状況下で交換可能であること、及び本明細書に記載の開示の実施形態は、他の順序および／または本明細書に記載または例示されていると異なる配置で操作が可能であるということが理解される。
本発明の第１の態様は、通信の方法であって、
ローカル・エリア・ネットワークを介してデータを医療機器から第１のハブに通信すること；
医療機器からのデータを少なくとも１つのパケットにパッケージ化することであり、前記少なくとも１つのパケットはヘッダを含み；
第１のハブの少なくとも１つの通信チャネルを介して、ネットワークを通じて前記少なくとも１つのパケットを通信すること；及び
アラーム状態が第１のハブ内で発生したときは、第１のハブからアラームを医療機器に伝達すること、を含む前記方法である。
本発明の第２の態様は、第１の態様の方法であって、前記ローカルエリアネットワークを介してデータを前記医療機器から前記第１のハブに通信する行為は、医療機器からローカルエリアネットワークを介して前記第１のハブによりデータを受信する行為である、前記方法である。
本発明の第３の態様は、第１の態様の方法であって、前記少なくとも１つの通信チャネルの第１の通信チャネルは第１のセルラーネットワーク上にあり、前記少なくとも１つの通信チャネルの第２の通信チャネルは第２のセルラーネットワーク上にある、前記方法である。
本発明の第４の態様は、第１の態様の方法であって、さらに第１のハブを識別値に関連付けることを含む、前記方法である。
本発明の第５の態様は、第１の態様の方法であって、さらに第１のハブを患者に関連付けることを含む、前記方法である。
本発明の第６の態様は、第１の態様の方法であって、さらに第１のハブを医療機器に関連付けることを含む、前記方法である。
本発明の第７の態様は、第１の態様の方法であって、さらに第１のハブを治療に関連付けることを含む、前記方法である。
本発明の第８の態様は、第１の態様の方法であって、さらにデータを暗号化することを含む、前記方法である。
本発明の第９の態様は、第８の態様の方法であって、さらに、
第２のハブによって少なくとも１つの通信チャネルを通してネットワーク上で少なくとも１つのパケットを受信すること；および
前記第２のハブ内でデータを復号化すること、を含む前記方法である。
本発明の第１０の態様は、第１の態様の方法であって、さらに時間パラメータを含む、前記方法である。
本発明の第１１の態様は、第１０の態様の方法であって、前記時間パラメータは日付および時間を含む、前記方法である。
本発明の第１２の態様は、第１０の態様の方法であって、衛星システム信号は時間パラメータを決定するために使用される、前記方法である。
本発明の第１３の態様は、第１０の態様の方法であって、さらにパケットのヘッダに時間パラメータを追加することを含む、前記方法である。
本発明の第１４の態様は、第１３の態様の方法であって、さらにパケットのヘッダ内の時間パラメータが第１の所定の基準を満たすかどうかを決定することを含む、前記方法である。
本発明の第１５の態様は、第１の態様の方法であって、さらにパケットのヘッダに連続番号を付加することを含む、前記方法である。
本発明の第１６の態様は、第１５の態様の方法であって、さらにパケットのヘッダの連続番号を用いてデータを再構築することを含む、前記方法である。
本発明の第１７の態様は、第１の態様の方法であって、さらにパケットの少なくとも一部に対応するエラー検出符号を決定することを含む、前記方法である。
本発明の第１８の態様は、第１７の態様の方法であって、さらにパケットのヘッダにエラー検出符号を付加することを含む、前記方法である。
本発明の第１９の態様は、第１８の方法であって、パケットのヘッダ内のエラー検出符号を検査することによって、パケットの少なくとも一部にはエラーがないかについて決定することを含む、前記方法である。
本発明の第２０の態様は、第１の態様の方法であって、さらに
パケット及びデータの少なくとも一つが第２の所定の基準を満たすか否かを決定すること；および
もし前記第２の所定の基準が満たされた場合、パケット及びデータの少なくとも１つに対応する肯定文字を第１のハブに通信することを含む、前記方法である。
本発明の第２１の態様は、第１の態様の方法であって、さらに
第２のハブにより、前記少なくとも１つの通信チャネルを通してネットワーク上で前記少なくとも１つのパケットを受信すること；および
前記第２のハブからのデータを少なくとも１つのエンタープライズサーバに送ることを含む、前記方法である。
本発明の第２２の態様は、第１の態様の方法であって、前記医療機器からのデータを少なくとも１つのパケットにパッケージ化する行為は、前記パケット及び他のパケットにデータをパッケージ化することを含み、前記パケットはヘッダを含み、及び前記他のパケットは他のヘッダを含む、前記方法である。
本発明の第２３の態様は、第２２の態様の方法であって、さらに
前記パケットのヘッダに第１の連続番号を追加し；及び
前記他のパケットの他のヘッダに第２連続番号を付加することを含む、前記方法である。
本発明の第２４の態様は、第２３の態様の方法であって、第１のハブの少なくとも１つの通信チャネルのうちの一つを通してネットワーク上を、前記少なくとも１つのパケットを通信する行為には、
前記第１のハブの前記少なくとも１つの通信チャネルのうちの第１の通信チャネルを介してパケットを通信すること；及び
前記第１のハブの前記少なくとも１つの通信チャネルのうちの第２の通信チャネルを介して、他のパケットを通信することを含む、前記方法である。
本発明の第２５の態様は、第２４の態様の方法であって、さらに
前記パケット及び前記他のパケットを受信すること；そして、
前記パケットの第１の連続番号及び前記他のパケットの第２の連続番号に従ってデータを再構築することを含む、前記方法である。
本発明の第２６の態様は、第１の態様の方法であって、前記医療機器からのデータをローカルエリアネットワークを介して、前記第１のハブへ通信する前に、さらに前記医療機器によりこれらのデータを暗号化することを含む、前記方法である。
本発明の第２７の態様は、第２６の態様の方法であって、さらに、
第２のハブによって少なくとも１つのパケットを少なくとも１つの通信チャネルを通してネットワーク上で受信すること；
前記第２のハブからのデータをエンタープライズサーバへ送ること；および
前記エンタープライズサーバによってデータを処理のために、前記エンタープライズサーバにより前記データを復号化することを含む、前記方法である。
本発明の第２８の態様は、第１乃至２７のいずれかの態様の１の方法であって、前記方法がアプリケーション層で実施される、前記方法。
本発明の第２９の態様は、ハブであって、
医療機器とデータを通信するように構成されるローカルエリアネットワーク インターフェース コンポーネント；
第１の通信チャネルとインターフェース接続するように構成されている第１のモジュール上のシステム（ｓｙｓｔｅｍ−ｏｎ−ｍｏｄｕｌｅ）；
第２の通信チャネルとインターフェース接続するように構成される第２のモジュール上のシステム（ｓｙｓｔｅｍ−ｏｎ−ｍｏｄｕｌｅ）；及び
前記医療機器からデータを少なくとも１つのパケットにパッケージ化するように構成されているプロセッサを備え、
前記少なくとも１つのパケットはヘッダを含み、前記プロセッサはさらに第１および第２の通信チャネルの１つにより前記少なくとも１つのパケットを通信するために、第１および第２のモジュール上のシステム（ｓｙｓｔｅｍ−ｏｎ−ｍｏｄｕｌｅ）の一つと動作可能に通信するように構成される、前記ハブである。
本発明の第３０の態様は、第２９の態様のハブであって、前記第１の通信チャネルは第１のセルラーネットワークであり、前記第２の通信チャネルは第２のセルラーネットワークである、前記ハブである。
本発明の第３１の態様は、第２９の態様のハブであって、前記プロセッサはさらに、ハブを識別値、患者、医療機器、および治療の一つと関連付けるように構成される、前記ハブである。
本発明の第３２の態様は、第２９の態様のハブであって、前記プロセッサはさらに、データを暗号化するように構成される、前記ハブである。
本発明の第３３の態様は、第２９の態様のハブであって、前記プロセッサはさらにパケットのヘッダに時間パラメータを追加するように構成される、前記ハブである。
本発明の第３４の態様は、第３３の態様のハブであって、前記時間パラメータは、日付および時間の一つを含む、前記ハブである。
本発明の第３５の態様は、第３３の態様のハブであって、さらに衛星システム  コンポーネントを含み、前記プロセッサは、衛星システムにより決定される時間を用いてヘッダに時間パラメータを追加するように構成される、前記ハブである。
本発明の第３６の態様は、第２９の態様のハブであって、前記プロセッサは、さらに前記パケットのヘッダに連続番号を付加するように構成される、前記ハブである。
本発明の第３７の態様は、第３６の態様のハブであって、前記連続番号はパケットのヘッダの連続番号を使用してデータを再構築するように構成される、前記ハブである。
本発明の第３８の態様は、第２９の態様のハブであって、前記プロセッサはさらに、パケットのヘッダにパケットの少なくとも一部分に対応するエラー検出符号を付加するように構成される、前記ハブである。
本発明の第３９の態様は、第３８の態様のハブであって、前記エラー検出符号はエラー訂正符号である、前記ハブである。
本発明の第４０の態様は、第２９の態様のハブであって、前記プロセッサは、前記パケット及び前記別のパケットにデータをパッケージ化するように構成され、前記パケットはヘッダを含み、前記別のパケットは別のヘッダを含む、前記ハブである。
本発明の第４１の態様は、第２９の態様のハブであって、ハブに障害状態が発生したときに、そのバスに結合された医療機器に信号を送るように構成されたフェイルセーフバスをさらに含む、前記ハブである。
本発明の第４２の態様は、第２９の態様のハブであって、前記ハブのアラーム状態が発生した時に、そのバスに結合された医療機器に信号を送るように構成されたアラームバスをさらに含む、前記ハブである。
本発明の第４３の態様は、第２９のハブであって、さらに単純な旧式の電話サービスコンポーネントを含み、前記第１及び第２の通信チャネルが利用できない場合、前記プロセッサは、単純な旧式の電話サービスを通してパケットを送る様に構成される、前記ハブである。
本発明の第４４の態様は、システムであって、
ローカルエリアネットワークを介して医療機器との間でデータを通信し、そして少なくとも一つのアプリケーション・レイヤ・パケット（ａｐｐｌｉｃａｔｉｏｎ−ｌａｙｅｒ  ｐａｃｋｅｔ）にデータをパッケージ化するように構成される第１のハブ；及び
少なくとも１つのセルラーネットワークを介して動作可能に前記第１のハブから前記少なくとも１つのアプリケーション層パケットを受信するように構成される第２のハブを含む、前記システムである。
本発明の第４５の態様は、第４４の態様のシステムであって、前記第２のハブは、前記少なくとも一つのアプリケーション層パケットからのデータを再構築するように構成される、前記システムである。
本発明の第４６の態様は、第４４の態様のシステムであって、前記第１のハブは、前記少なくとも１つのセルラーネットワークの第１および第２のセルラーネットワークを介して、前記少なくとも１つのアプリケーション層パケットを通信する、前記システムである。
本発明の第４７の態様は、第４６の態様のシステムであって、前記第１のハブは、第１及び第２のセルラーネットワークの間に前記少なくとも１つのアプリケーション層パケットの送信をバランスしてロードするように構成される、前記システムである。
本発明の第４８の態様は、第４４の態様のシステムであって、前記第１のハブは、データを暗号化するように構成され、前記第２のハブはデータを復号化する、前記システムである。
本発明の第４９の態様は、第４４の態様のシステムであって、さらに、エンタープライズサーバを含み、前記医療機器は、データを暗号化するように構成され、前記第２のハブはエンタープライズサーバにデータを送るように構成され、そしてエンタープライズサーバは、データを復号化するように構成される、前記システムである。
本発明の第５０の態様は、
第４４の態様のシステムであって、
前記第１のハブは、少なくとも一つのグローバル・ポジショニング信号を用いて時間パラメータを決定するように構成されるグローバル ポジショニング コンポーネントを含み、
前記第１のハブは、前記少なくとも一つのアプリケーション層パケットのアプリケーション層パケットのヘッダに時間パラメータを追加するように構成され、及び
前記第２のハブは、時間パラメータが所定の基準を満たすかどうかを決定するように構成される、前記システムである。
本発明の第５１の態様は、
第５０の態様のシステムであって、
前記第２のハブは、少なくとも一つのグローバル・ポジショニング信号を用いて別の時間パラメータを決定するように構成された別のグローバル・ポジショニング・コンポーネントを含み、及び
前記第２のハブは、時間パラメータが別の時間パラメータの関数として所定の基準を満たすかどうか、を決定するように構成される、前記システム。
本発明の第５２の態様は、第４４の態様のシステムであって、
前記少なくとも一つのアプリケーション層パケットは第一のアプリケーション層パケットを含み、及び
前記第１のハブは、前記第一のアプリケーション層のパケットの少なくとも一部に対応するエラー検出符号を付加するように構成される、前記システム。
本発明の第５３の態様は、第５２の態様のシステムであって、前記第２のハブは、エラー検出符号を用いて、前記第一のアプリケーション層パケットの少なくとも一部が誤りを含まないものであるかどうかを決定するように構成される、前記システムである。
本発明の第５４の態様は、第５３の態様のシステムであって、前記エラー検出符号はエラー訂正符号であり、前記第２のハブは、さらに、必要に応じて、前記第一のアプリケーション層パケットの前記少なくとも一部のエラーを訂正するように構成される、前記システムである。
本発明の第５５の態様は、第４４の態様のシステムであって、
前記少なくとも一つのアプリケーション層パケットは第１のアプリケーション層パケットを含み、及び
前記第２のハブは、前記第１のアプリケーション層パケットが所定の基準を満たす場合は、第１のハブに肯定応答を通信するように構成される、前記システムである。
本発明の第５６の態様は、第４４の態様のシステムであって、さらにエンタープライズサーバを含み、前記医療機器はデータを暗号化するように構成され、そして、前記第２のハブはエンタープライズサーバにデータを送るように構成され、前記エンタープライズサーバはデータを復号化するように構成される、前記システムである。
本発明の第５７の態様は、第４４の態様のシステムであって、
前記少なくとも一つのアプリケーション層パケットは、第１及び第２のアプリケーション層パケットを含み、
前記第１のハブは、第１のアプリケーション層パケットの第１のヘッダに第１の連続番号を追加し、及び前記第２のアプリケーション層パケットの第２のヘッダに第２の連続番号を追加するように構成され；及び
前記第２のハブは、第１および第２の連続番号に従ってデータを再構築するように構成される、前記システムである。
本発明の第５８の態様は、第５７の態様のシステムであって、
前記第１のハブは、前記少なくとも一つのセルラーネットワークの第一１のセルラーネットワークを介して前記第１のアプリケーション層パケットを通信するように構成され、及び
前記第１のハブは、前記少なくとも一つのセルラーネットワークの第２のセルラーネットワークを介して前記第２のアプリケーション層パケットを通信するように構成される、前記システム。
本発明の第５９の態様は、
第４４の態様のシステムであって、
前記第１のハブは、アラーム状態信号を提供するように構成されるアラーム・バス・コンポーネントを含み、及び
前記医療機器は、アラーム状態信号を受信するために第１のハブに作動可能に接続されており、アラーム状態がアラーム状態信号を介して受信されたときに、前記医療機器は少なくとも一つの緩和方策を提供するように構成される、
前記システムである。
本発明の第６０の態様は、第４４の態様のシステムであって、
前記第１のハブは、致命的なエラー状態信号を提供するように構成されたフェイルセーフコンポーネントを含み、及び
前記医療機器は、致命的なエラー状態信号を受信する第１のハブに動作可能に接続されており、致命的なエラー状態が致命的なエラー状態信号を介して存在するとされた場合、前記医療機器はハブから独立して動作するように構成される、
前記システムである。
本発明の第６１の態様は、
第４４の態様のシステムであって、さらにエンタープライズサーバを含み、前記エンタープライズサーバがトランザクションサーバである、
前記システムである。
本発明の第６２の態様は、
本明細書、特許請求の範囲、及び図面に記載のシステム。
本発明の第６３の態様は、
本明細書、特許請求の範囲、及び図面に記載の電子患者ケアシステム。
本発明の第６４の態様は、
本明細書、特許請求の範囲、及び図面に記載のポンプと実質的に同等のポンプ。
本発明の第６５の態様は、
本明細書、特許請求の範囲、及び図面に記載の電子患者ケアシステムと実質的に同等のシステム。